(57)【要約】  【課題】品質の悪い光ディスクに対しても、後で確実に正常再生できるようにデータを自動的に記録することが可能な光ディスク記録装置を提供する。  【解決手段】ＤＶＤが装填されると、ＤＶＤに対して光ピックアップでフォーカシングサーボを行って、光ピックアップのフォーカス変動量を計測する。そして、計測したフォーカス変動量と、予め記憶したデータのエラーレートが許容限界値となるフォーカスの変動量の閾値とに基づいて、ＤＶＤの低品位記録領域を検出する。この後、ＤＶＤにデータを記録する際に、検出したＤＶＤの低品位記録領域以外の記録領域に光ピックアップによりデータを記録する。【選択図】  図５
2006054024.tif 000002
【特許請求の範囲】
【請求項１】
光ディスクを回転させながら光ピックアップを制御して、光ディスクにデータを記録する光ディスク記録装置において、
光ディスクに対して光ピックアップでフォーカシングサーボを行って、光ピックアップのフォーカスの変動量を計測する計測手段と、
光ディスクに記録されたデータのエラーレートが許容限界値となる光ピックアップのフォーカスの変動量を閾値として記憶した記憶手段と、
前記計測手段で計測した前記変動量と前記記憶手段に記憶された前記閾値とに基づいて、光ディスクの低品位記録領域を検出する検出手段と、
基準ビットレートで光ディスクの全記録領域にデータを記録した場合のデータの記録可能時間と同じ時間分のデータを、光ディスクの前記低品位記録領域以外の記録領域に収めて記録することが可能な抑制ビットレートを設定する設定手段と、
前記抑制ビットレートで光ディスクにデータを記録するか否かをユーザに選択させる選択手段と、
前記選択手段によって前記抑制ビットレートでデータを記録することが選択された場合に、光ピックアップにより光ディスクの前記低品位記録領域以外の記録領域に前記抑制ビットレートでデータを記録し、前記選択手段によって前記抑制ビットレートでデータを記録することが選択されなかった場合に、光ピックアップにより光ディスクの前記低品位記録領域以外の記録領域に前記基準ビットレートでデータを記録する記録制御手段と、を備えたことを特徴とする光ディスク記録装置。
【請求項２】
光ディスクを回転させながら光ピックアップを制御して、光ディスクにデータを記録する光ディスク記録装置において、
光ディスクに対して光ピックアップでフォーカシングサーボを行って、光ピックアップのフォーカスの変動量を計測する計測手段と、
光ディスクに記録されたデータのエラーレートが許容限界値となる光ピックアップのフォーカスの変動量を閾値として記憶した記憶手段と、
前記計測手段で計測した前記変動量と前記記憶手段に記憶された前記閾値とに基づいて、光ディスクの低品位記録領域を検出する検出手段と、
前記検出手段で検出された光ディスクの前記低品位記録領域以外の記録領域に光ピックアップによりデータを記録する記録制御手段と、を備えたことを特徴とする光ディスク記録装置。
【請求項３】
請求項２に記載の光ディスク記録装置において、
基準ビットレートで光ディスクの全記録領域にデータを記録した場合のデータの記録可能時間と同じ時間分のデータを、光ディスクの前記低品位記録領域以外の記録領域に収めて記録することが可能な抑制ビットレートを設定する設定手段を備え、
前記記録制御手段は、前記設定手段で設定された前記抑制ビットレートで光ディスクの前記低品位記録領域以外の記録領域にデータを記録することを特徴とする光ディスク記録装置。
【請求項４】
請求項３に記載の光ディスク記録装置において、
前記抑制ビットレートで光ディスクにデータを記録するか否かをユーザに選択させる選択手段を備え、
前記記録制御手段は、前記選択手段によって前記抑制ビットレートでデータを記録することが選択された場合にのみ、光ディスクの前記低品位記録領域以外の記録領域に前記抑制ビットレートでデータを記録することを特徴とする光ディスク記録装置。
【発明の詳細な説明】
【技術分野】
【０００１】
本発明は、光ピックアップによって光ディスクにデータを記録する光ディスク記録装置に関するものである。
【背景技術】
【０００２】
光ディスク記録装置は、装填された記録型の光ディスクのディスク面に、光ピックアップからレーザビームを照射して、映像や音声等のデータを記録する装置であり、例えばＤＶＤ（Digital Versatile Disk）レコーダのようなＡＶ機器等に広く利用されている。このような光ディスク記録装置においては、光ピックアップに内蔵されているレンズを光ディスクのディスク面に対して垂直な方向に動かして、レーザビームのフォーカス（焦点）を光ディスクのピットに合せるフォーカシングサーボや、レンズを光ディスクのディスク面に対して平行な方向に動かして、レーザビームで光ディスクのトラックを追跡するトラッキングサーボといった制御機能が備わっている。フォーカシングサーボやトラッキングサーボは、光ディスクの回転運動に追従して作動する。
【０００３】
記録型の光ディスクとしては、例えばＤＶＤ−Ｒ、ＤＶＤ−ＲＷ、ＤＶＤ＋Ｒ、ＤＶＤ＋ＲＷ、ＤＶＤ−ＲＡＭ等のディスクがある。このような光ディスクの多種類化に対処すべく、光ディスク記録装置には、例えば下記の特許文献１に記載されているように、装填された光ディスクの種類を判別し、受け付けた光ディスクの種類に応じて、レーザーパワーとデータの記録ビットレートと光ディスクの回転数とを適した値に設定するものがある。また、光ディスクには、反りや面ブレ（回転時のディスクの暴れ）の見られるものがある。このような光ディスクの反りや面ブレに対処すべく、光ディスク記録装置には、例えば下記の特許文献２〜４に記載されているように、光ディスクの傾きを検出し、当該傾きに応じて光ピックアップのフォーカスやレーザビームのチルトを調整して、光ディスクにデータを記録することにより、当該データのエラーレートを低下させるものがある。
【特許文献１】特開２００３−１４１７３５号公報
【特許文献２】特開２００３−２６３７６４号公報
【特許文献３】特開平１０−１７７７２９号公報
【特許文献４】特開２００４−９５１８４号公報
【発明の開示】
【発明が解決しようとする課題】
【０００４】
記録型の光ディスクには、例えば低価格で販売することを目的として、製造工程を無理に短縮しまたは省略した結果、反りや面ブレが大きくなっているものがある。特に、反りや面ブレは光ディスクの内周部から外周部に行くに連れて大きくなっている。このような品質の悪い光ディスクに、上述したような従来の光ディスク記録装置によってデータを記録した場合、当該光ディスクの内周部からある程度の領域までは、データの記録品位が良く、記録したデータをその後再生する際に、正常に再生することができる。しかし、品質の悪い光ディスクの外周部近傍の領域では、データの記録品位が悪くなり、記録したデータをその後再生する際に、再生した画像を表示する画面全体にブラックノイズが出たり、再生自体が異常停止したりするというように、正常に再生することができないおそれが大いにある。このため、品質の悪い光ディスクに対して、後で確実に正常再生できるようにデータを記録するには、ユーザが、当該光ディスクへのデータの記録中に、リモートコントローラ等を操作して記録を停止させることにより、記録品位の悪くなる外周部近傍の領域にデータを記録しないようにしなければならなかった。このように使用する光ディスクの品質に留意して記録操作を行うことは、ユーザにとって非常に煩わしい作業であった。
【０００５】
本発明は、上記問題点を解決するものであって、その課題とするところは、品質の悪い光ディスクに対しても、後で確実に正常再生できるようにデータを自動的に記録することが可能な光ディスク記録装置を提供することにある。
【課題を解決するための手段】
【０００６】
本発明では、光ディスクを回転させながら光ピックアップを制御して、光ディスクにデータを記録する光ディスク記録装置において、光ディスクに対して光ピックアップでフォーカシングサーボを行って、光ピックアップのフォーカスの変動量を計測する計測手段と、光ディスクに記録されたデータのエラーレートが許容限界値となる光ピックアップのフォーカスの変動量を閾値として記憶した記憶手段と、計測手段で計測した変動量と記憶手段に記憶された閾値とに基づいて、光ディスクの低品位記録領域を検出する検出手段と、検出手段で検出された光ディスクの低品位記録領域以外の記録領域に光ピックアップによりデータを記録する記録制御手段とを備える。なお、上記において「許容限界値」とは、光ディスクに記録されたデータの補正・修正が可能であり、当該データを正常に再生することができるエラーレートの許容範囲の上限値のことであって、予め規格等で規定されている。また、「低品位記録領域」とは、データを記録すると、当該データの品位が悪くなり、当該データをその後正常に再生できなくなる光ディスクの記録領域のことであって、反りや面ブレの大きな品質の悪い光ディスクの外周部近傍に多く生じる。
【０００７】
上記のように、光ディスクの低品位記録領域を検出して、当該低品位記録領域以外の記録領域にデータを記録すると、ユーザが光ディスクの品質に留意して記録操作を行う必要はなくなり、品質の悪い光ディスクに対しても、後で確実に正常再生できるようにデータを自動的に記録することが可能となる。
【０００８】
また、本発明の実施形態では、上述した構成に加えて、基準ビットレートで光ディスクの全記録領域にデータを記録した場合のデータの記録可能時間と同じ時間分のデータを、光ディスクの低品位記録領域以外の記録領域に収めて記録することが可能な抑制ビットレートを設定する設定手段を備え、記録制御手段は、設定手段で設定された抑制ビットレートで光ディスクの低品位記録領域以外の記録領域にデータを記録する。なお、上記において「基準ビットレート」とは、映像や音声のデータを後で正常再生できるような画質および音質で光ディスクに記録することが可能な比較的高いビットレートのことである。また、「抑制ビットレート」とは、基準ビットレートを基準にして設定される基準ビットレートよりも低いビットレートのことである。
【０００９】
基準ビットレートで品質の悪い光ディスクの低品位記録領域以外の記録領域にデータを記録すると、基準ビットレートで当該光ディスクの全記録領域にデータを記録した場合のデータの記録可能時間よりも短い時間分のデータしか記録されなくなってしまう。然るに、上記のように、基準ビットレートよりも低い抑制ビットレートで品質の悪い光ディスクの低品位記録領域以外の記録領域にデータを記録すると、基準ビットレートで当該光ディスクの全記録領域にデータを記録した場合のデータの記録可能時間と同じ時間分のデータを記録することができる。つまり、ユーザが光ディスクに記録可能と想定していた時間分の映像や音声のデータを、途中で切れることなく全て確実に記録することが可能となる。
【００１０】
また、本発明の実施形態では、上述した構成に加えて、抑制ビットレートで光ディスクにデータを記録するか否かをユーザに選択させる選択手段を備え、記録制御手段は、選択手段によって抑制ビットレートでデータを記録することが選択された場合にのみ、光ディスクの低品位記録領域以外の記録領域に抑制ビットレートでデータを記録する。
【００１１】
基準ビットレートよりも低い抑制ビットレートで光ディスクにデータを記録すると、基準ビットレートで光ディスクにデータを記録する場合よりも、記録したデータの容量は小さくなるが、記録したデータの画質や音質が低下してしまう。然るに、上記のように抑制ビットレートでデータを記録するか否かをユーザに選択させることで、ユーザがデータの画質や音質を低下させたくない場合には、抑制ビットレートでデータを記録することを選択しないことで、品質の悪い光ディスクへのデータの記録時間は短くなるが、データの画質や音質を高く維持して記録することができる。
【００１２】
さらに、本発明の典型的な実施形態では、記録制御手段は、選択手段によって前記抑制ビットレートでデータを記録することが選択された場合に、光ピックアップにより光ディスクの低品位記録領域以外の記録領域に抑制ビットレートでデータを記録し、選択手段によって抑制ビットレートでデータを記録することが選択されなかった場合に、光ピックアップにより光ディスクの低品位記録領域以外の記録領域に基準ビットレートでデータを記録する。
【００１３】
上記のようにすることで、ユーザがデータの記録時間を短縮させたくない場合には、抑制ビットレートでデータを記録することを選択することで、品質の悪い光ディスクに抑制ビットレートでデータが記録されるので、記録したデータの画質や音質は低下するが、データの記録時間を長く確保することができる。また、ユーザがデータの画質や音質を低下させたくない場合には、抑制ビットレートでデータを記録することを選択しないことで、品質の悪い光ディスクに基準ビットレートでデータが記録されるので、データの記録時間は短くなるが、データの画質や音質を高く維持することができる。
【発明の効果】
【００１４】
本発明によれば、光ディスクの低品位記録領域を検出して、当該低品位記録領域以外の記録領域にデータを記録するので、ユーザが光ディスクの品質に留意して記録操作を行う必要はなくなり、品質の悪い光ディスクに対しても、後で確実に正常再生できるようにデータを自動的に記録することが可能となる。
【発明を実施するための最良の形態】
【００１５】
図１は、ＤＶＤレコーダの電気的構成を示すブロック図である。図１において、破線で囲んだ部分がＤＶＤ（Digital Versatile Disk）レコーダ１の本体部である。このＤＶＤレコーダ１のディスクドライブ部（図示省略）に装填されるＤＶＤ２は、記録型のＤＶＤであって、ＤＶＤ−Ｒ、ＤＶＤ−ＲＷ、ＤＶＤ＋Ｒ、ＤＶＤ＋ＲＷ、またはＤＶＤ−ＲＡＭ等から構成されている。ＤＶＤ２には、映像や音声のデータがＭＰＥＧ（Moving Picture Experts Group Phase）形式の動画データとして記録される。ＤＶＤレコーダ１は、本発明における光ディスク記録装置の一実施形態を構成し、ＤＶＤ２は、本発明における光ディスクの一実施形態を構成する。
【００１６】
制御部３は、ＣＰＵ、ＲＯＭ、およびＲＡＭ等から構成されていて、ＤＶＤレコーダ１の各部を制御する。メモリ４は、ＲＯＭ、ＲＡＭおよび不揮発性メモリ等から構成されていて、後述するように光ピックアップ７のフォーカス（焦点）の変動量の閾値が記憶されている。スピンドルモータ５は、装填されたＤＶＤ２を所定の回転数で回転させる。モータ駆動回路６は、スピンドルモータ５を駆動したり停止したりする。光ピックアップ７は、半導体レーザ、フォトセンサ、およびレンズ等から構成されていて、ＤＶＤ２のディスク面にレーザビームを照射し、その反射光を受光してＤＶＤ２に記録されたデータを読み取ったり、ＤＶＤ２にデータを記録したりする。ピックアップ駆動回路８は、光ピックアップ７の半導体レーザを駆動して、ＤＶＤ２のディスク面にレーザビームを所定のパワーで照射したり、シーク時等に光ピックアップ７をＤＶＤ２の径方向へ移動させたりする。サーボ回路９は、光ピックアップ７のサーボ制御を行う。例えば、光ピックアップ７のレンズをＤＶＤ２のディスク面に対して垂直な方向に動かして、レーザビームのフォーカス（焦点）をＤＶＤ２のピットに合せるフォーカシングサーボを行ったり、レンズをＤＶＤ２のディスク面に対して平行な方向に動かして、レーザビームでＤＶＤ２のトラックを追跡するトラッキングサーボを行ったりする。信号処理部１０は、光ピックアップ７によって読み取ったＤＶＤ２のデータを処理したり、光ピックアップ７によってＤＶＤ２に記録するデータを処理したりする。
【００１７】
後述するように、制御部３は、サーボ回路９によって光ピックアップ７のフォーカシングサーボを行って、光ピックアップ７のフォーカスの変動量を計測する。また、制御部３は、計測したフォーカス変動量とメモリ４に記憶された閾値とに基づいて、ＤＶＤ２の低品位記録領域を検出する。なお、「低品位記録領域」とは、データを記録すると、当該データの記録品位が悪くなり、当該データをその後正常に再生できなくなるＤＶＤ２の記録領域のことであって、反りや面ブレの大きな品質の悪いＤＶＤ２の外周部近傍に多く生じる。また、制御部３は、検出したＤＶＤ２の低品位記録領域以外の記録領域に光ピックアップ７によってデータを記録する。さらに、制御部３は、ＤＶＤ２にデータを記録する際のビットレートとして、基準ビットレートまたは抑制ビットレートを用いる。なお、「基準ビットレート」とは、映像や音声のデータを後で正常再生できるような画質および音質でＤＶＤ２に記録することが可能な比較的高いビットレートのことである。また、「抑制ビットレート」とは、制御部３が基準ビットレートを基準にして設定する基準ビットレートよりも低いビットレートのことである。上記のような制御部３は、本発明における計測手段、検出手段、設定手段、および記録制御手段の一実施形態を構成する。メモリ４は、本発明における記憶手段の一実施形態を構成する。
【００１８】
チューナ１２は、アンテナ１１によって受信したテレビ番組等の放送電波から映像と音声のアナログの信号を抽出する。Ａ／Ｄ変換部１３は、チューナ１２で抽出された映像のアナログ信号をデジタルの映像データに変換して、ＭＰＥＧ符号化部１５に出力する。Ａ／Ｄ変換部１４は、チューナ１２で抽出された音声のアナログ信号をデジタルの音声データに変換して、ＭＰＥＧ符号化部１５に出力する。ＭＰＥＧ符号化部１５は、Ａ／Ｄ変換部１３、１４から入力される映像と音声のデータをＭＰＥＧ形式で符号化して、ＤＶＤビデオフォーマットの動画データに変換するとともに、当該動画データの管理データを作成して、動画データと管理データとを制御部３に出力する。制御部３は、ＭＰＥＧ符号化部１５から入力される動画データと管理データとを信号処理部１０で処理した後、光ピックアップ７によってＤＶＤ２の所定の記録領域に記録する。
【００１９】
ＭＰＥＧ復号部１６は、ＤＶＤ２から読み取ったＭＰＥＧ形式の圧縮データを復号して再生する。ＯＳＤ回路１７は、制御部３からＭＰＥＧ復号部１６を介して入力される画像データを、ＤＶＤレコーダ１に接続されたテレビ２０にＯＳＤ（On Screen Display）表示できるように処理する。Ｄ／Ａ変換部１８は、ＭＰＥＧ復号部１６またはＯＳＤ回路１７で処理されたデジタルの映像データをアナログの信号に変換して、テレビ２０に出力する。Ｄ／Ａ変換部１９は、ＭＰＥＧ復号部１６で処理されたデジタルの音声データをアナログの信号に変換して、テレビ２０に出力する。テレビ２０は、Ｄ／Ａ変換部１８から入力される映像信号に基づいてＣＲＴに映像を映し出したり、Ｄ／Ａ変換部１９から入力される音声信号に基づいてスピーカから音声を出力する。
【００２０】
表示部２１は、ＶＦＤ（蛍光表示管）等から構成されていて、時間やＤＶＤレコーダ１の動作状態等を表示する。操作部２２は、スイッチやボタン等の各種の操作キーから構成されていて、ＤＶＤレコーダ１の前面に設けられている。リモコン受信部２３は、リモコン２４からの信号を受信する。リモコン２４には、スイッチやボタン等の各種の操作キーが設けられている。
【００２１】
図２は、前述したメモリ４の記憶内容の一例を示す図である。図２に示すＤＶＤ品質相関テーブルＴは、予め様々な品質のＤＶＤ２の全記録領域にデータを記録した後、各ＤＶＤ２のフォーカス変動量とＰＩエラーレートとを所定の計測装置で計測して、それらの相関関係を調べた結果を示している。「フォーカス変動量」は、本実施形態では、各ＤＶＤ２の最外周部で光ピックアップのフォーカシングサーボを行って計測した、単位時間当りの光ピックアップのフォーカスの変動量のことである。「Ｄａ、Ｄｂ、Ｄｃ、・・・」は、各フォーカス変動量の値であって、下の行に行くほど大きな値になっている。「ＰＩエラーレート」は、各ＤＶＤ２の最外周部からデータを読み込んで計測した、ＰＩ（Parity of Inner Code）エラーの発生頻度のことである。「Ｅａ、Ｅｂ、Ｅｃ、・・・」は、各フォーカス変動量「Ｄａ、Ｄｂ、Ｄｃ、・・・」に対応するエラーレートの値であって、下の行に行くほど大きな値になっている。
【００２２】
ＤＶＤ２の反りや面ブレが大きくなるに連れて、最外周部のフォーカス変動量が大きくなる傾向にある。また、図３に示すように、フォーカス変動量が大きくなるに連れて、ＰＩエラーレートが大きくなるという傾向にある。ＰＩエラーレートが値Ｅｃより大きくなると、ＤＶＤ２に記録されたデータの補正・修正が困難になって、当該データを正常に再生できなくなる。従って、値Ｅｃは、ＤＶＤ２に記録されたデータの補正・修正が可能であり、当該データを正常に再生することができるＰＩエラーレートの許容範囲の上限値、即ち本実施形態における許容限界値である。この許容限界値Ｅｃは予め規格等で規定されている。また、ＤＶＤ２に記録されたデータのエラーレートが許容限界値Ｅｃとなる光ピックアップのフォーカス変動量の値Ｄｃは、本実施形態における閾値である。値ＥｃがＰＩエラーレートの許容限界値でありかつ値Ｄｃがフォーカス変動量の閾値であることは、メモリ４に記憶されている。なお、ＤＶＤ２の品質判断基準の指標としては、上記ＰＩエラー以外にＰＯ（Parity of Object Code）エラーがＤＶＤ規格で規定されている。このため、ＰＩエラーレートに代えてＰＯエラーレートを各フォーカス変動量「Ｄａ、Ｄｂ、Ｄｃ、・・・」に対応させてメモリ４に記憶し、当該ＰＯエラーレートの許容限界値に基づいてフォーカス変動量の閾値を設定してもよい。
【００２３】
図４は、前述したテレビ２０に表示する画面の一例を示す図である。図４に示すデータ記録ビットレート選択画面Ｇは、前述のリモコン２４で所定の操作を行ったときに、テレビ２０にオンスクリーン表示される。データ記録ビットレート選択画面Ｇの画像データは、メモリ４の所定の領域に記憶されている。基準ビットレートボタンＢ１は、ＤＶＤ２にデータを記録する際のビットレートとして、前述の基準ビットレートを選択するためのボタンである。基準ビットレートは、前述したように比較的高いビットレートであるため、データの高画質記録を確保したいときに適している。抑制ビットレートボタンＢ２は、ＤＶＤ２にデータを記録する際のビットレートとして、前述の抑制ビットレートを選択するためのボタンである。抑制ビットレートは、前述したように基準ビットレートよりも低く設定されるビットレートであるため、データの長時間記録を確保したいときに適している。決定ボタンＢ３は、選択されたビットレートを決定して、メモリ４の所定の領域に記憶させるためのボタンである。取消ボタンＢ４は、メモリ４に記憶させたビットレートの選択を取り消すためのボタンである。データ記録ビットレート選択画面Ｇは、本発明における選択手段の一実施形態を構成する。
【００２４】
図５は、ＤＶＤレコーダ１の動作手順を示すフローチャートである。各処理は前述した制御部３が実行する。なお、本手順を説明するにあたり、ＤＶＤ２のディスク位置（ディスク面の位置）と、各位置におけるフォーカス変動量との相関関係を示す図６を適宜参照する。図５において、ＤＶＤ２がユーザによってＤＶＤレコーダ１に装填された後、制御部３は、ＤＶＤ２の所定位置で光ピックアップ７によりフォーカシングサーボを行って、光ピックアップ７のフォーカス変動量を計測する（ステップＳ１）。本実施形態では、ＤＶＤ２の最内周部と最外周部とこれらの中間にある複数の位置において光ピックアップ７のフォーカス変動量を計測し、各計測値から図６に示すような近似曲線を描くフォーカス変動量の近似式を求める。次に、制御部３は、計測したフォーカス変動量が前述の閾値Ｄｃよりも大きいか否かを判定する（ステップＳ２）。ここで、計測したフォーカス変動量が閾値Ｄｃ以下であれば（ステップＳ２：ＮＯ）、制御部３は、ＤＶＤ２にデータを記録する際に、ＤＶＤ２の任意の記録領域に基準ビットレートでデータを記録する（ステップＳ３）。これにより、ＤＶＤ２の最内周部から最外周部までの全記録領域に、データが高画質および高音質で記録される。
【００２５】
一方、ステップＳ２で、計測したフォーカス変動量が閾値Ｄｃよりも大きければ（ステップＳ２：ＹＥＳ）、制御部３は、上述のようにして求めたフォーカス変動量の近似式から、閾値Ｄｃと同値のフォーカス変動量に相当するＤＶＤ２のディスク位置のアドレスＡを検出する（ステップＳ４）。そして、制御部３は、フォーカス変動量が閾値Ｄｃよりも大きく、ＰＩエラーレートが前述の許容限界値Ｅｃを越えることが予測されるＤＶＤ２のアドレスＡから最外周部までの記録領域（図６）を、ＤＶＤ２の低品位記録領域として検出する（ステップＳ５）。続いて、制御部３は、基準ビットレートでＤＶＤ２の全記録領域にデータを記録した場合のデータの記録可能時間と同じ時間分のデータを、ＤＶＤ２の低品位記録領域以外の記録領域（図６のＤＶＤ２の最内周部からアドレスＡまでの高品位記憶領域）に収めて記録することが可能な抑制ビットレートを設定する（ステップＳ６）。本実施形態では、まず、ＤＶＤ２の低品位記録領域以外の記録領域の容量（Ｂ’）を算出する。次に、算出した容量（Ｂ’）をＤＶＤ２の全記録領域の容量（Ｂ）で除して、ビットレート抑制率（Ｙ）を算出する（Ｙ＝Ｂ’／Ｂ）。そして、基準ビットレート（Ｚ）に算出したビットレート抑制率（Ｙ）を乗じて、抑制ビットレート（Ｚ’）を算出する（Ｚ’＝ＺＹ）。
【００２６】
上記のようにして抑制ビットレートを設定すると、制御部３は、ＤＶＤ２にデータを記録する際のビットレートとして、抑制ビットレートが選択されているか否かを確認する（ステップＳ７）。ここで、前述のデータ記録ビットレート選択画面Ｇ（図４）でユーザが抑制ビットレートを選択したことが確認されると（ステップＳ７：ＹＥＳ）、制御部３は、ＤＶＤ２にデータを記録する際に、ＤＶＤ２の低品位記録領域以外の記録領域に抑制ビットレートでデータを記録する（ステップＳ８）。これにより、ＤＶＤ２の低品位記録領域以外の記録領域、即ち高品位記録領域に、基準ビットレートでＤＶＤ２の全記録領域にデータを記録した場合のデータの記録可能時間と同じ時間分のデータが記録される。
【００２７】
一方、ステップＳ７で、前述のデータ記録ビットレート選択画面Ｇでユーザが基準ビットレートを選択したため、またはいずれのビットレートも選択しなかったため、抑制ビットレートを選択していないことが確認されると（ステップＳ７：ＮＯ）、制御部３は、ＤＶＤ２にデータを記録する際に、ＤＶＤ２の低品位記録領域以外の記録領域に基準ビットレートでデータを記録する（ステップＳ９）。これにより、ＤＶＤ２の低品位記録領域以外の記録領域、即ち高品位記録領域に、データが高画質および高音質で記録される。
【００２８】
上述したように、ＤＶＤ２の低品位記録領域を検出して、当該低品位記録領域以外の記録領域にデータを記録すると、ユーザがＤＶＤ２の品質に留意して記録操作を行う必要はなくなり、反りや面ブレの大きな品質の悪いＤＶＤ２に対しても、後で確実に正常再生できるようにデータを自動的に記録することが可能となる。
【００２９】
また、基準ビットレートで品質の悪いＤＶＤ２の低品位記録領域以外の記録領域にデータを記録すると、基準ビットレートで当該ＤＶＤ２の全記録領域にデータを記録した場合のデータの記録可能時間よりも短い時間分のデータしか記録されなくなってしまう。然るに、上述したように、基準ビットレートよりも低い抑制ビットレートで品質の悪いＤＶＤ２の低品位記録領域以外の記録領域にデータを記録すると、基準ビットレートで当該ＤＶＤ２の全記録領域にデータを記録した場合のデータの記録可能時間と同じ時間分のデータを記録することができる。つまり、例えばＤＶＤ２が４．７ＧＢの記録容量を有するＤＶＤであって、基準ビットレートで２時間分のテレビ番組のデータを記録することが可能であれば、４．７ＧＢよりも少ない容量であるＤＶＤ２の低品位記録領域以外の記録領域に、ユーザがＤＶＤ２に記録可能と想定していた２時間分のテレビ番組のデータを、途中で切れることなく全て確実に記録することが可能となる。
【００３０】
さらに、基準ビットレートよりも低い抑制ビットレートでＤＶＤ２にデータを記録すると、基準ビットレートでＤＶＤ２にデータを記録する場合よりも、記録したデータの容量は小さくなるが、記録したデータの画質や音質が低下してしまう。然るに、上述したようにデータ記録ビットレート選択画面Ｇにおいて、ユーザに抑制ビットレートでデータを記録するか否かを選択させることで、ユーザがデータの画質や音質を低下させたくない場合には、抑制ビットレートでデータを記録することを選択しないことで、品質の悪い光ディスクへのデータの記録時間は短くなるが、データの画質や音質を高く維持して記録することができる。また、ユーザがデータの記録時間を短縮させたくない場合には、抑制ビットレートでデータを記録することを選択することで、品質の悪いＤＶＤ２に抑制ビットレートでデータが記録されるので、記録したデータの画質や音質は低下するが、データの記録時間を長く確保することができる。
【００３１】
以上述べた実施形態では、データ記録ビットレート選択画面Ｇにおいて、記録ビットレートとして基準ビットレートと抑制ビットレートのいずれも選択されなかった場合に、記録ビットレートとして基準ビットレートを用いた例を挙げたが、基準ビットレートに代えて、抑制ビットレートを用いるようにしてもよい。また、記録ビットレートをユーザに選択させずに、常時強制的に記録ビットレートとして抑制ビットレートを用いるようにしてもよい。
【００３２】
また、以上述べた実施形態では、ＤＶＤレコーダ１に、本発明を適用した例を挙げたが、本発明はこれ以外にも、例えばハードディスクを搭載したハードディスク付きＤＶＤレコーダや、ブルーレイディスクにデータを記録するディスクレコーダや、ＣＤ−Ｒ、ＣＤ−ＲＷ等のコンパクトディスクにデータを記録するディスクレコーダ等のような光ディスク記録装置に適用することが可能である。
【図面の簡単な説明】
【００３３】
【図１】ＤＶＤレコーダの電気的構成を示すブロック図である。
【図２】ＤＶＤレコーダのメモリの記憶内容の一例を示す図である。
【図３】フォーカス変動量とＰＩエラーレートの相関関係を示す図である。
【図４】テレビに表示する画面の一例を示す図である。
【図５】ＤＶＤレコーダの動作手順を示すフローチャートである。
【図６】ＤＶＤのディスク位置とフォーカス変動量の相関関係を示す図である。
【符号の説明】
【００３４】
１      ＤＶＤレコーダ
２      ＤＶＤ
３      制御部
４      メモリ
７      光ピックアップ
Ｄｃ    フォーカス変動量の閾値
Ｅｃ    ＰＩエラーレートの許容限界値
Ｇ      データ記録ビットレート選択画面
【図１】
2006054024.tif 000003
【図２】
2006054024.tif 000004
【図３】
2006054024.tif 000005
【図４】
2006054024.tif 000006
【図５】
2006054024.tif 000007
【図６】
2006054024.tif 000008